【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
複数のオブジェクトを管理する装置であって、該装置は該オブジェクトの少なくとも１つをアーカイブする手段を備えており、該アーカイブする手段は、
前記少なくとも１つのオブジェクトへの少なくとも１つの特有の参照を獲得する手段と、
前記少なくとも１つの参照と、前記少なくとも１つのオブジェクトのアーカイブ場所に関する情報の少なくとも１つの項目を関連付ける手段と、
前記少なくとも１つのオブジェクトと関連付けられた複数の記述属性を特徴付ける手段と、
前記オブジェクトに索引付けし、索引付け属性と呼ばれる、前記属性の少なくとも１つを選択することを可能にする手段と、
アーカイブされる各オブジェクトごとに、前記オブジェクトの前記少なくとも１つの参照、前記場所情報の少なくとも１つの項目および前記オブジェクトの前記少なくとも１つの索引付け属性を備える、ｎ個組のデータを格納する手段と
を備えることを特徴とする、複数のオブジェクトを管理する装置。
【請求項２】
前記関連付け手段が、
前記オブジェクトの出典に関する情報と、
前記オブジェクトと関連付けられた権限に関する情報と、
前記索引付け手段に関する情報と
を備えるグループに属する追加情報の１項目を、前記少なくとも１つの参照と関連付けることも可能にし、
前記格納される少なくとも１つのｎ個組が、前記少なくとも１つの追加情報の項目も備えることを特徴とする、請求項１に記載の複数のオブジェクトを管理する装置。
【請求項３】
前記少なくとも１つの参照が、前記少なくとも１つのオブジェクトと関連付けられた前記属性の１つを構成することを特徴とする、請求項１または２に記載の複数のオブジェクトを管理する装置。
【請求項４】
各オブジェクトごとに、前記少なくとも１つの参照または前記参照の少なくとも１つが特有であることを特徴とする、請求項１から３のいずれかに記載の複数のオブジェクトを管理する装置。
【請求項５】
前記アーカイブ手段によって連続してアーカイブされるオブジェクトについて連続して獲得される、前記少なくとも１つの参照と関連付けられる前記場所情報の項目が、連続するアーカイブ場所を定義することを特徴とする、請求項１から４のいずれかに記載の複数のオブジェクトを管理する装置。
【請求項６】
前記特徴付け手段が、
スキャナと、
光学式文字認識の装置と
を備えるグループに属するデータ処理手段であることを特徴とする、請求項１から５のいずれかに記載の複数のオブジェクトを管理する装置。
【請求項７】
各オブジェクトが、前記オブジェクトのために獲得される前記少なくとも１つの参照と関連付けられた場所情報の項目に従って格納される、前記オブジェクトを格納する手段を備えることを特徴とする、請求項１から６のいずれかに記載の複数のオブジェクトを管理する装置。
【請求項８】
前記格納手段が、それぞれが特有のゾーン識別子と関連付けられている、少なくとも１つのオブジェクトが配置され得る少なくとも２つのゾーンを備えることと、前記関連付け手段が、前記少なくとも１つの参照と、ゾーン識別子に関連する情報の項目を関連付けることも可能にすることを特徴とする、請求項７に記載の複数のオブジェクトを管理する装置。
【請求項９】
各ゾーンが、
オブジェクトが格納される入れ物と、
それぞれが、オブジェクトが格納される少なくとも１つのサブゾーンを定義する少なくとも１つの仕切りと
を備えることを特徴とする、請求項８に記載の複数のオブジェクトを管理する装置。
【請求項１０】
少なくとも１つのゾーンが、
密封トレーと、
保管場所と、
廃棄場所と、
シュレッダと、
を備えるグループに属する入れ物を備えることを特徴とする、請求項８または９のいずれかに記載の複数のオブジェクトを管理する装置。
【請求項１１】
前記装置と同じ性質の別の装置によってアーカイブされたオブジェクトと関連付けられたｎ個組のデータをインポートする手段と、
前記インポートされたｎ個組のデータを、前記装置によってアーカイブされたオブジェクトと関連付けられたｎ個組のデータと連結する手段と
を備えることを特徴とする、請求項１から１０のいずれかに記載の複数のオブジェクトを管理する装置。
【請求項１２】
前記格納されたｎ個組の所与のオブジェクトの削除手段を備えることを特徴とする、請求項１から１１のいずれかに記載の複数のオブジェクトを管理する装置。
【請求項１３】
それぞれが、少なくとも１つの参照、場所情報の少なくとも１つの項目および少なくとも１つの索引付け属性を備えるｎ個組と関連付けられている、複数のオブジェクトを管理する装置であって、該装置は、前記オブジェクトの少なくとも１つをデアーカイブする手段を備えており、該デアーカイブする手段は、
前記少なくとも１つのオブジェクトを、前記オブジェクトに索引付けされた前記属性によって探索し、および／または選択する手段と、
前記少なくとも１つの、探索され、および／または選択されたオブジェクトの前記場所情報の少なくとも１つの項目を獲得する手段と
を備えることを特徴とする、複数のオブジェクトを管理する装置。
【請求項１４】
自己完結型手段を備えており、該自己完結型手段は、
前記場所情報の少なくとも１つの項目に従って前記オブジェクトを配布する自己完結型手段と、
前記場所情報の少なくとも１つの項目に従って前記オブジェクトを指示する自己完結型手段と
を備えるグループに属するものであることを特徴とする、請求項１３に記載の複数のオブジェクトを管理する装置。
【請求項１５】
前記自己完結型供給手段が、前記配布の委託の手段を備えることを特徴とする、請求項１３または１４に記載の複数のオブジェクトを管理する装置。
【請求項１６】
前記オブジェクトが、
新聞切り抜き、
切手、
送り状、
アンケート用紙、
名刺、
帳票、
処方箋、
定期的明細、
はがき、
書簡、
デジタル記録媒体および／またはアナログ記録媒体
を備えるグループに属することを特徴とする、請求項１から１５のいずれかに記載の複数のオブジェクトを管理する装置。
【請求項１７】
アーカイブされたオブジェクトが、前記アーカイブ手段によって既にアーカイブの対象となっていることを検出する手段と、
前記検出する手段による肯定的検出の場合に作動される、すでにアーカイブされている前記オブジェクトの前記少なくとも１つの参照、前記場所情報の少なくとも１つの項目および前記少なくとも１つの索引付け属性を備えるｎ個組のデータを、新しい場所情報の項目に置換する手段と、
をさらに含む、請求項１または１３に記載の複数のオブジェクトを管理する装置。
【請求項１８】
複数のオブジェクトを管理する方法であって、該方法は、該オブジェクトの少なくとも１つをアーカイブするステップを含んでおり、該アーカイブするステップは、
前記少なくとも１つのオブジェクトに特有の少なくとも１つの参照を獲得することと、
前記少なくとも１つの参照と、前記少なくとも１つのオブジェクトのアーカイブ場所情報の少なくとも１つの項目を関連付けることと、
前記少なくとも１つのオブジェクトと関連付けられた複数の記述属性を特徴付けることと、
前記少なくとも１つのオブジェクトに索引付けし、索引付け属性と呼ばれる、前記属性の少なくとも１つを選択することを可能にすることと、
アーカイブされる各オブジェクトごとに、前記オブジェクトの前記少なくとも１つの参照、前記場所情報の少なくとも１つの項目および前記オブジェクトの前記少なくとも１つの索引付け属性を備える、ｎ個組のデータを格納することと
を含むことを特徴とする、複数のオブジェクトを管理する方法。
【請求項１９】
それぞれが、少なくとも１つの参照、場所情報の少なくとも１つの項目および少なくとも１つの索引付け属性を備え、少なくとも１つのｎ個組と関連付けられている、複数のオブジェクトを管理する方法であって、該方法は、該オブジェクトの少なくとも１つをデアーカイブするステップを含んでおり、該デアーカイブするステップは、
前記少なくとも１つのオブジェクトを、前記オブジェクトに索引付けされた前記属性によって探索し、および／または選択することと、
前記少なくとも１つの、探索され、および／または選択されたオブジェクトの前記場所情報の少なくとも１つの項目を獲得することと
を含むことを特徴とする、複数のオブジェクトを管理する方法。
【請求項２０】
アーカイブされるべきオブジェクトが、すでに、前記アーカイブ手段によるアーカイブの対象となっていることを検出するステップと、
前記検出手段による肯定的検出の場合に作動される、すでにアーカイブされている前記オブジェクトの前記少なくとも１つの参照、前記場所情報の少なくとも１つの項目および前記少なくとも１つの索引付け属性を備えるｎ個組のデータを、新しい場所情報の項目を備える新しいｎ個組で置き換えるステップと
をさらに含むことを特徴とする、請求項１８または１９に記載の複数のオブジェクトを管理する方法。
【請求項２１】
通信ネットワークからダウンロード可能であり、および／またはコンピュータによって読み取られ得る、および／またはマイクロプロセッサによって実行され得る媒体上に格納されたコンピュータプログラム製品であって、コンピュータ上で実行されると、請求項１８から２０の少なくとも一項に記載のアーカイブおよび／またはデアーカイブするステップを含む方法を実行するプログラムコード命令を含むことを特徴とする、コンピュータプログラム。
【請求項２２】
場合によっては完全に、または部分的に着脱可能であり、コンピュータによって読み取ることのできるバックアップ手段であって、前記コンピュータによって実行可能な、請求項１８から２０の少なくとも一項に記載のアーカイブおよび／またはデアーカイブするステップを含む方法を実施する命令の組を格納している、バックアップ手段。